(57)【特許請求の範囲】
【請求項１】
踏込操作によりストロークする複数のペダルと、
前記複数のペダルそれぞれに対応して設けられ、各ペダルの踏込操作によるストロークに応じて圧縮変位する弾性材で構成され、当該圧縮変位によって発生する反力を前記各ペダルに付与する複数の反力付与手段と、
前壁を有し、前記複数のペダルのそれぞれに対応する位置にまたがる横長形状に形成されるフレームと、を備えたペダル装置であって、
前記複数の反力付与手段は、前記ペダルの踏込操作に応じて変形する弾性材で構成された複数のバネ部材であり、
前記複数のペダルのそれぞれの後端には前記フレームに取り付けられる取付部を有し、
前記各ペダルの該取付部は、後方が前記フレームに対して揺動可能に支持されており、前方が前記バネ部材により支持されており、
前記複数のバネ部材の一部は、それらの形状、前記弾性材の材質、前記各ペダルに対する取付位置、前記各ペダルが踏込操作されていない初期位置での初期変形量の少なくともいずれかを互いに異ならせていることで、対応する前記各ペダルの一部に付与される反力の特性が互いに異なっており、
前記複数のペダルは、少なくとも中央とその左右端に並べられて前記フレームに取り付けられ、
前記複数のペダルのうち中央に設置した前記ペダルの前記バネ部材の初期反力を、左右端に設置した前記ペダルの前記バネ部材の初期反力よりも強く設定した
ことを特徴とするペダル装置。
【請求項２】
前記複数のペダルのうち少なくとも１つには、前記ペダルと前記バネ部材との間に、前記バネ部材を予め所定量だけ圧縮した状態にするためのスペーサ部材が設置されている
ことを特徴とする請求項１に記載のペダル装置。
【発明の詳細な説明】
【技術分野】
【０００１】
本発明は、電子鍵盤楽器に用いて好適なペダル装置に関する。
【背景技術】
【０００２】
自然鍵盤楽器であるアコースティックピアノは、打鍵に応じてハンマーを弦に打ちつけ、音を発生する機構を有している。アコースティックピアノが発生する音は、打鍵の強弱やスピードによってその響き方や大きさが異なる。また、アコースティックピアノには、音の余韻をコントロールするためのペダルが搭載されている。このペダルは、足で踏込操作するもので、通常、一台のピアノに２本または３本のペダルが設けられている。ペダルが２本の場合、演奏者から見て右側のペダルがダンパーペダルであり、左側のペダルがソフトペダルである。また、グランドピアノなどでペダルが３本の場合は、右側から順にダンパーペダル、ソステヌートペダル、ソフトペダルになっている。
【０００３】
ここで、ダンパーペダルは、弦の振動を停止させるための消音装置（ダンパー）を全ての弦に対して解除させるものである。ダンパーペダルを踏み込むと、鍵盤を押鍵した後、鍵盤から手を離しても、残響音を継続させることができる。ソフトペダルは、踏み込むことにより、押鍵で発音された音の音量を減少させることができるものである。ソステヌートペダルは、押鍵した鍵盤の音だけを持続させるためのものである。そして、アコースティックピアノが備えるこのような複数のペダルは、それぞれが異なる機構を動作させる構造になっている。そのため、それぞれのペダルに特有の反力（踏込力に対する反力）が発生し、それに基づく特有の操作感（ペダルタッチ）が生じる。
【０００４】
一方、上記のようなアコースティックピアノの音色、操作性、外観を擬似的に再現した電子鍵盤楽器として、電子ピアノがある。電子ピアノには、例えば、特許文献１に示すように、アコースティックピアノにおけるダンパーペダル、ソステヌートペダル、ソフトペダルと同様の働きをするペダルを装備したものがある。ところが、電子ピアノの場合は、アコースティックピアノのように実際に打弦して発音しないので、ダンパーを弦から離す動作などを行う必要がない。その代わりに、ペダル操作に対応する処理を電気的に行い、ペダルが操作されたと同等の発音を行うようになっている。従って、ペダル装置そのものの機構は簡単であり、例えば、フレームに対して上下方向へストローク可能に取り付けたペダルと底板との間にコイルバネなどからなる反力付与部材を設置し、当該反力付与部材の付勢によってペダルに上向きの反力を与えている。
【０００５】
このように、電子ピアノのペダルは、コイルバネなどで反力が付与されているが、通常は、複数のペダルが互いに同一の部品を備えた同一の構成である。そのため、アコースティックピアノが備える複数のペダルと異なり、ペダルごとのタッチに差が無い。なお、特許文献２に示すように、ペダルのストローク途中からタッチを段階状に変化させるためのユニットを設けたペダルもあるが、この場合でも、コイルバネの反力によって生じる基本的なタッチは、複数のペダルで互いに同一である。そのため、アコースティックピアノをはじめとする自然鍵盤楽器が備える複数のペダルとは、タッチが大きく異なるものであった。
【先行技術文献】
【特許文献】
【０００６】
【特許文献１】特開２００１−２２３５５号公報
【特許文献２】特開２００４−３３４００８号公報
【発明の開示】
【発明が解決しようとする課題】
【０００７】
本発明は上述の点に鑑みてなされたものであり、その目的は、簡単な構成で、アコースティックピアノなど自然鍵盤楽器のペダルのタッチを忠実に再現し、且つペダルに設置されるフレームの変形を防止することが可能なペダル装置を提供することにある。
【課題を解決するための手段】
【０００８】
上記課題を解決するための本発明のペダル装置（１）は、踏込操作によりストロークする複数のペダル（１０−１，１０−２，１０−３）と、複数のペダル（１０−１，１０−２，１０−３）それぞれに対応して設けられ、各ペダル（１０−１，１０−２，１０−３）の踏込操作によるストロークに応じて圧縮変位する弾性材で構成され、当該圧縮変位によって発生する反力を各ペダル（１０−１，１０−２，１０−３）に付与する複数の反力付与手段と、前壁（２１）を有し、複数のペダル（１０−１，１０−２，１０−３）のそれぞれに対応する位置にまたがる横長形状に形成されるフレーム（２０）と、を備えたペダル装置（１）であって、複数の反力付与手段は、ペダル（１０−１，１０−２，１０−３）の踏込操作に応じて変形する弾性材で構成された複数のバネ部材（４０−１，４０−２，４０−３）であり、複数のペダル（１０−１，１０−２，１０−３）のそれぞれの後端にはフレーム（２０）に取り付けられる取付部（１２）を有し、各ペダル（１０−１，１０−２，１０−３）の該取付部（１２）は、後方がフレーム（２０）に対して揺動可能に支持されており、前方がバネ部材（４０−１，４０−２，４０−３）により支持されており、複数のバネ部材（４０−１，４０−２，４０−３）の一部は、それらの形状、弾性材の材質、各ペダル（１０−１，１０−２，１０−３）に対する取付位置、各ペダル（１０−１，１０−２，１０−３）が踏込操作されていない初期位置での初期変形量の少なくともいずれかを互いに異ならせていることで、対応する各ペダル（１０−１，１０−２，１０−３）の一部に付与される反力の特性が互いに異なっており、複数のペダル（１０−１，１０−２，１０−３）は、少なくとも中央とその左右端に並べられてフレーム（２０）に取り付けられ、複数のペダル（１０−１，１０−２，１０−３）のうち中央に設置したペダル（１０−２）のバネ部材（４０−２）の初期反力を、左右端に設置したペダル（１０−１，１０−３）のバネ部材（４０−１，４０−３）の初期反力よりも強く設定したことを特徴とする。
【０００９】
また、上記ペダル装置（１）は、複数のペダル（１０−１，１０−２，１０−３）のうち少なくとも１つには、ペダル（１０−１，１０−２，１０−３）とバネ部材（４０−１，４０−２，４０−３）との間に、バネ部材（４０−１，４０−２，４０−３）を予め所定量だけ圧縮した状態にするためのスペーサ部材（２８−１，２８−２，２８−３）が設置されていることを特徴としてもよい。
なお、ここでの括弧内の符号は、後述する実施形態の対応する構成要素の符号を本発明の一例として示したものである。
【発明の効果】
【００１０】
本発明にかかるペダル装置によれば、簡単な構成で、アコースティックピアノなど自然鍵盤楽器が有する複数のペダルのタッチを忠実に再現し、且つペダルに設置されるフレームの変形を防止することが可能となる。
【図面の簡単な説明】
【００１１】
【図１】本発明の一実施形態にかかるペダル装置を示す平面図である。
【図２】ペダル装置の側断面図であり、図１のＸ−Ｘ矢視図である。
【図３】ペダル装置の動作を説明するための図である。
【図４】ペダル装置の他の構成例を示す側断面図である。
【図５】グランドピアノが有する３本のペダルの踏込操作に対する反力の分布を示すグラフである。
【発明を実施するための形態】
【００１２】
以下、添付図面を参照して本発明の実施形態を詳細に説明する。図１及び図２は、本発明の一実施形態にかかるペダル装置１を示す図で、図１は、ペダル装置１の平面図、図２は、ペダル装置１の側断面図であり、図１のＸ−Ｘ矢視図である。これらの図に示すペダル装置１は、電子ピアノなどの電子鍵盤楽器における鍵盤（図示せず）の下方の足元に近い位置に設置されて、演奏者によって足で踏込操作されるものである。このペダル装置１は、踏込操作によりストロークする複数本（本実施形態では３本）のペダル１０−１，１０−２，１０−３と、複数本のペダル１０−１，１０−２，１０−３それぞれに対応して設けられた複数個（本実施形態では３個）のコイルバネ（バネ部材）４０−１，４０−２，４０−３とを備えている。コイルバネ４０−１，４０−２，４０−３は、各ペダル１０−１，１０−２，１０−３の踏込操作によるストロークに応じて変位し、当該変位によって発生する反力を各ペダル１０−１，１０−２，１０−３に付与する反力付与手段である。
【００１３】
すなわち、図１に示すように、ペダル装置１には、電子鍵盤楽器の演奏者から見て右側に位置する第１ペダル１０−１と、中央に位置する第２ペダル１０−２と、左側に位置する第３ペダル１０−３との３本のペダルが設けられている。ここで、第１、第２、第３ペダル１０−１，１０−２，１０−３にはそれぞれ、グランドピアノ（アコースティックピアノ）におけるダンパーペダル、ソステヌートペダル、ソフトペダルに対応する機能（電子鍵盤楽器の発音特性）が割り当てられている。
【００１４】
ペダル装置１が備える３本のペダル１０−１，１０−２，１０−３及びその周辺部分は、基本的には同様の構造である。そのため、以下では、ペダル装置１が有する各ペダル１０−１，１０−２，１０−３の代表として、ダンパーペダルに相当する第１ペダル１０−１及びその周辺の構成及び動作を説明する。この場合、第１ペダル１０−１をペダル１０と表記し、第１ペダル１０−１に反力を付与する第１コイルバネ４０−１をコイルバネ４０と表記する。なお、以下の説明では、ペダル１０の長手方向の両側のうち、ペダル１０を足で踏込操作する電子鍵盤楽器の演奏者の側を手前あるいは前といい、その反対側を奥あるいは後という。また、以下の説明で幅方向又は左右方向というときは、ペダル装置１における第１乃至第３ペダル１０−１，１０−２，１０−３の配列方向、又はペダル１０の幅方向（長手方向に対する両側方向）を指すものとする。
【００１５】
図２に示すように、ペダル１０の周辺には、ペダル１０を回動可能に支持するフレーム２０と、ペダル１０の踏み込みに対する反力を付与するコイルバネ４０とが設けられている。フレーム２０は、金属などで構成された板状部材を適宜に折り曲げて略矩形の箱型に形成されている。フレーム２０は、３本のペダル１０−１，１０−２，１０−３に対応する位置に跨る横長形状に形成されている。このフレーム２０の前壁２１と後壁２２におけるペダル１０の取付箇所にはそれぞれ開口部２３，２４が形成されている。
【００１６】
ペダル１０は、長尺状に形成された略平板状の部材からなり、前側が足で踏み込み操作する操作部１１になっており、後側がフレーム２０に取り付けられる取付部１２になっている。ペダル１０は、フレーム２０の前方から見て、長手方向に沿う細板状の上壁１０ａと両側壁１０ｂ，１０ｂとを備え、下向きに開口する略コ字型の断面形状を有している。また、取付部１２の後端近傍には、開口１３ａの縁部を上方に折り曲げてなる折曲片１３ｂが設けられている。
【００１７】
フレーム２０の前壁２１に設けた開口部２３は、ペダル１０の断面よりも大きな矩形状に形成されている。一方、後壁２２に設けた開口部２４は、ペダル１０の断面に沿う略コ字状に形成されている。ペダル１０は、開口部２３からフレーム２０内に差し込まれて取付部１２がフレーム２０内に設置され、後端が開口部２４から後方に突出した状態になっている。このとき、ペダル１０の折曲片１３ｂが後壁２２の開口部２４の上縁に当接してこれらが回動自在に係合している。ペダル１０は、この折曲片１３ｂと開口部２４とが係合している支点１４を中心として、操作部１１が上下方向に揺動自在となるように設置されている。
【００１８】
フレーム２０内におけるペダル１０の下側には、コイルバネ４０が設置されている。コイルバネ４０は、金属などの弾性を有する線材をコイル状に巻き回してなるバネ部材であって、軸方向に圧縮されて変形することで弾発力（付勢力）を生じるものである。コイルバネ４０は、フレーム２０内の前側の底壁２５に載置されている。コイルバネ４０の上端は、ペダル１０の下面１０ｃに当接している。ペダル１０は、踏込操作が開始される位置（以下、この位置を「初期位置」という。）で、コイルバネ４０の上に載置された状態で静止している。ペダル１０は、この初期位置で支点１４によって取付部１２の後方が支持され、コイルバネ４０によって取付部１２の前方が支持されており、前後方向が略水平になっている。
【００１９】
また、フレーム２０内のコイルバネ４０の後方には、回路基板３０が設置されている。回路基板３０には、詳細な図示は省略するが、ペダル１０の動作を電気的な出力に変換するためのスイッチ接点などを設けることができる。また、フレーム２０の底壁２５の下面側には、アジャスタ３４が取り付けられている。アジャスタ３４は、軸部３４ａと該軸部３４ａの下端に固定した台座部３４ｂとを備えており、詳細な図示は省略するが、軸部３４ａの上端が底壁２５に設けたネジ孔（図示せず）にネジ係合で取り付けられている。軸部３４ａは、底壁２５の幅方向の中央付近に取り付けられており、台座部３４ｂの下端が床面（図示せず）に当接するようになっている。このアジャスタ３４は、軸部３４ａ及び台座部３４ｂを回転操作することで、フレーム２０の底壁２５に対する台座部３４ｂの高さ位置を調節することが可能である。これにより、床面に対するペダル装置１の高さ位置を調節することができる。
【００２０】
フレーム２０内のペダル１０の上面１０ｄ側には、ペダル１０の上限位置を規定するための上限ストッパ１５が設置されている。ペダル１０が初期位置（最上位置）にある状態で、上限ストッパ１５がフレーム２０の上壁２９に当接している。
【００２１】
一方、フレーム２０の前壁２１に設けた開口部２３の下端辺には、フレーム２０内に向かって折り曲げられた折曲部２６が形成されており、該折曲部２６の上面には、ペダル１０の下限位置を規定するための下限ストッパ１７が取り付けられている。下限ストッパ１７は、ペダル１０の当接による衝撃を緩和するための緩衝材で構成されており、初期位置にあるペダル１０の両側壁１０ｂ，１０ｂの下端に対して所定距離を有して対向するように設置されている。また、折曲部２６及び下限ストッパ１７は、その面が奥側から手前側に向かうにつれて若干下方に傾斜している。
【００２２】
上記構成のペダル装置１の動作について簡単に説明する。図３は、ペダル装置１の動作を説明するための図で、ペダル１０が踏込操作された状態を示す図である。演奏者が図２に示す初期位置にあるペダル１０を踏み込むと、図３に示すように、コイルバネ４０が圧縮されながら、ペダル１０が支点１４を中心に回動して操作部１１が下降してゆく。このとき、ペダル１０には、コイルバネ４０の付勢力による反力が付与されている。この状態でさらにペダル１０が踏み込まれると、やがてペダル１０の両側壁１０ｂ，１０ｂの下端が下限ストッパ１７に当接し、ペダル１０が下限位置で停止する。一方、下限位置にあるペダル１０を踏み込んでいる力を緩めると、コイルバネ４０による反力でペダル１０が上昇して初期位置に復帰する。なお、ペダル装置１の第１、第２、第３ペダル１０−１，１０−２，１０−３は、後述するように、対応する各コイルバネ４０−１，４０−２，４０−３による反力特性が互いに異なってはいるが、基本的な動作は互いに共通している。
【００２３】
本実施形態のペダル装置１は、既述のように、電子鍵盤楽器の演奏者から見て右側に位置する第１ペダル１０−１と、中央に位置する第２ペダル１０−２と、左側に位置する第３ペダル１０−３との３本のペダルを備えている。そして、第１、第２、第３ペダル１０−１，１０−２，１０−３それぞれに対応する第１、第２、第３コイルバネ４０−１，４０−２，４０−３が設置されている。第１、第２、第３コイルバネ４０−１，４０−２，４０−３は、フレーム２０内の第１、第２、第３ペダル１０−１，１０−２，１０−３の下側に設置されており、第１、第２、第３ペダル１０−１，１０−２，１０−３それぞれの踏込操作によるストロークに応じて変位し、当該変位によって発生する反力を第１、第２、第３ペダル１０−１，１０−２，１０−３に付与するようになっている。
【００２４】
そして、本実施形態のペダル装置１では、第１、第２、第３コイルバネ４０−１，４０−２，４０−３は、それらの形状、材質、各ペダル１０−１，１０−２，１０−３に対する取付位置、各ペダル１０−１，１０−２，１０−３が踏込操作されていない初期位置における初期圧縮量の少なくともいずれかを互いに異ならせていることで、対応する各ペダル１０−１，１０−２，１０−３に付与する反力の特性が互いに異なるように設定されている。以下、この点を詳細に説明する。
【００２５】
第１、第２、第３コイルバネ４０−１，４０−２，４０−３の形状を互いに異ならせるには、具体的には、各コイルバネ４０−１，４０−２，４０−３を構成する線材の太さを互いに異ならせるか、各コイルバネ４０−１，４０−２，４０−３の巻数を互いに異ならせるか、各コイルバネ４０−１，４０−２，４０−３の径寸法を互いに異ならせるか、のいずれかが可能である。これらによって、対応する各ペダル１０−１，１０−２，１０−３に付与する反力の特性を互いに異ならせることができる。
【００２６】
また、第１、第２、第３コイルバネ４０−１，４０−２，４０−３の材質を互いに異ならせる場合は、具体的には、各コイルバネ４０−１，４０−２，４０−３を構成している弾性材からなる線材として互いに異なる材質の線材を用いる。これにより、対応する各ペダル１０−１，１０−２，１０−３に付与する反力の特性を互いに異ならせることができる。
【００２７】
また、第１、第２、第３コイルバネ４０−１，４０−２，４０−３の形状又は材質を互いに異ならせる場合は、形状又は材質が互いに異なる各コイルバネ４０−１，４０−２，４０−３は、その色を互いに異ならせることが望ましい。これは、下記のような理由による。すなわち、形状又は材質が異なることで付与する反力の特性が異なる各コイルバネ４０−１，４０−２，４０−３は、外観が同一か又は近似している場合が多い。そのため、ペダル装置１を製造する際、各ペダル１０−１，１０−２，１０−３に対応する各コイルバネ４０−１，４０−２，４０−３を組み付ける工程で、形状又は材質が異なる各コイルバネ４０−１，４０−２，４０−３を取り違えて組み付けてしまうおそれがある。そこで、上記のように、形状又は材質が互いに異なる各コイルバネ４０−１，４０−２，４０−３の色を互いに異ならせておけば、各コイルバネ４０−１，４０−２，４０−３を取り違えて組み付けてしまうことを効果的に防止できる。これにより、ペダル装置１の組立効率を向上させることができる。
【００２８】
なお、この場合、各コイルバネ４０−１，４０−２，４０−３の色を互いに異ならせるには、各コイルバネ４０−１，４０−２，４０−３に異なる色の塗料を塗布するなどして着色することができる。さらにこの場合は、各コイルバネ４０−１，４０−２，４０−３はその全体を着色してもよいし、その一部のみを着色してもよい。
【００２９】
また、第１、第２、第３ペダル１０−１，１０−２，１０−３に対する第１、第２、第３コイルバネ４０−１，４０−２，４０−３の取付位置を互いに異ならせるには、各ペダル１０−１，１０−２，１０−３の長手方向（図１の矢印Ｌ１，Ｌ２で示すペダル装置１の前後方向）における各コイルバネ４０−１，４０−２，４０−３の設置位置を互いに異ならせることが可能である。これにより、対応する各ペダル１０−１，１０−２，１０−３に付与する反力の特性を互いに異ならせることができる。
【００３０】
また、第１、第２、第３ペダル１０−１，１０−２，１０−３が踏込操作されていない初期位置における第１、第２、第３コイルバネ４０−１，４０−２，４０−３の初期圧縮量を互いに異ならせるには、図４に示すように、各コイルバネ４０−１，４０−２，４０−３とフレーム２０の底壁２５との間に所定の厚さ寸法のスペーサ部材２８を介在させて、スペーサ部材２８とペダル１０−１，１０−２，１０−３との間に予め所定量だけ圧縮した状態のコイルバネ４０−１，４０−２，４０−３を設置するとよい。その際、第１、第２、第３コイルバネ４０−１，４０−２，４０−３に対応するスペーサ部材２８の厚さ寸法を互いに異ならせたり、第１、第２、第３コイルバネ４０−１，４０−２，４０−３のうちいずれかに対してのみスペーサ部材２８を設置したりすることで、第１、第２、第３ペダル１０−１，１０−２，１０−３の初期位置における第１、第２、第３コイルバネ４０−１，４０−２，４０−３の初期圧縮量を互いに異ならせることができる。なお、スペーサ部材２８は、上記以外にも、ペダル１０−１，１０−２，１０−３の下面とコイルバネ４０−１，４０−２，４０−３の上端との間に介在させても良い。
【００３１】
そして、本実施形態のペダル装置１では、上記のように第１、第２、第３コイルバネ４０−１，４０−２，４０−３の形状、材質、取付位置、初期圧縮量の少なくともいずれかを互いに異ならせていることで、第１、第２、第３ペダル１０−１，１０−２，１０−３の踏込操作に対する反力特性をグランドピアノが備える３本のペダルの反力特性に近似した特性となるように設定している。以下、この点について説明する。図５は、グランドピアノが有する３本のペダルの踏込操作による変位に対する荷重（反力）の分布を示すグラフである。同図のグラフでは、横軸は、初期位置（踏込開始位置）からのペダルの変位量（踏込量）であり、縦軸は、ペダルの踏み込みに対する荷重（反力）である。そして、このグラフでは、グランドピアノの演奏者から見て右側に位置するダンパーペダルの反力特性を一点鎖線で示し、中央に位置するソステヌートペダルの反力特性を点線で示し、左側に位置するソフトペダルの反力特性を実線で示している。なお、同図のグラフでは、ペダルが踏み込まれる過程の反力特性のみを示している。
【００３２】
図５のグラフに示すように、グランドピアノが有する３本のペダルが有する踏み込みに対する反力特性は、互いに異なる特性となっている。特に、ペダルの踏み込みが開始された直後の初期段階における反力は、中央のソステヌートペダルが一番大きな反力であり、次いで右側のダンパーペダル、左側のソフトペダルの順になっている。すなわち、グランドピアノが備える３本のペダルのうち左側に設置されたペダル（ソフトペダル）は、３本のペダルの中で初期反力が最も小さいペダルである。
【００３３】
そこで、本実施形態のペダル装置１においても、第１乃至第３ペダル１０−１，１０−２，１０−３に対する踏込操作が開始された時点での初期反力の大きさを、ソステヌートペダルの機能を割り当てた中央の第２ペダル１０−２が最も大きく、次いで、ダンパーペダルの機能を割り当てた右側の第１ペダル１０−１、ソフトペダルの機能を割り当てた左側の第３ペダル１０−３の順となるように設定するとよい。そして、各ペダル１０−１，１０−２，１０−３の反力特性を上記のように設定するための手法としては、第１乃至第３ペダル１０−１，１０−２，１０−３が踏込操作されていない初期位置での第１乃至第３コイルバネ４０−１，４０−２，４０−３の初期圧縮量を互いに異ならせることで設定するとよい。さらにその場合、第１乃至第３ペダル１０−１，１０−２，１０−３それぞれに反力を付与する第１乃至第３コイルバネ４０−１，４０−２，４０−３のうち、第３ペダル１０−３に反力を付与する第３コイルバネ４０−３の初期圧縮量が最少となるように設定する。
【００３４】
上記の方法によれば、簡単な構成で、グランドピアノが備える３本のペダルの反力特性に近い特性を再現することができる。したがって、グランドピアノが備える複数のペダルのタッチをより忠実に再現することが可能となる。
【００３５】
なお、一般に、電子鍵盤楽器のペダル装置が備えるペダルは、足で踏込操作することが前提である。そのため、本実施形態のペダル装置１においても、ペダル１０−１，１０−２，１０−３やフレーム２０にかかる荷重は鍵盤などにかかる荷重よりもはるかに大きく、当該荷重を支えるフレーム２０などには比較的変形が生じ易い。そのうえ、本実施形態のペダル装置１のように、一個のフレーム２０に３本のペダル１０−１，１０−２，１０−３を並べて取り付けた構造では、中央に設置した第２ペダル１０−２に比べて、右側と左側に設置した第１、第３ペダル１０−１，１０−３は、フレーム２０の自由端（左右端）に近い位置に設置されている。そのため、第１、第３ペダル１０−１，１０−３に反力を付与する第１、第３コイルバネ４０−１，４０−３の反力を強くし過ぎると、フレーム２０に変形が生じるおそれがある。そのため、第１、第３ペダル１０−１，１０−３の反力はあまり強く設定することができないのが現状である。これに対して、中央の第２ペダル１０−２に反力を付与する第２コイルバネ４０−２は、フレーム２０に変形が生じるおそれが比較的少ないため、両側の第１、第３コイルバネ４０−１，４０−３よりも反力を強く設定することが可能である。このような理由からも、第１乃至第３ペダル１０−１，１０−２，１０−３に対する踏込操作が開始された時点での初期反力の大きさを、上記のように、第２ペダル１０−２、第１ペダル１０−１、第３ペダル１０−３の順となるように設定することは行い易い。また、３個のコイルバネ４０−１，４０−２，４０−３のうち左側に配置された第３コイルバネ４０−３の初期圧縮量を最も小さな圧縮量に設定することも行い易い。
【００３６】
以上本発明の実施形態を説明したが、本発明は上記実施形態に限定されるものではなく、特許請求の範囲、及び明細書と図面に記載された技術的思想の範囲内において種々の変形が可能である。例えば、上記実施形態では、３本のペダル１０−１，１０−２，１０−３を備えたペダル装置１を例に説明したが、本発明にかかるペダル装置が備えるペダルは、３本には限らず２本であってもよい。その場合は、２本のペダルそれぞれに対応する２個のコイルバネの形状、材質、ペダルに対する取付位置、ペダルが踏込操作されていない初期位置における初期圧縮量の少なくともいずれかを互いに異ならせることで、対応するペダルに付与する反力の特性を互いに異ならせるようにする。またその場合、アップライトピアノなど２本のペダルを備えた自然鍵盤楽器が有するペダルの反力特性に近似した特性となるように設定することができる。なお、一般的な鍵盤楽器のペダル装置は３本のペダルを備えていることが多いため、本実施形態のペダル装置のように３本のペダルを備えることが最も有効ではあるが、本発明にかかるペダル装置が備えるペダルとしては、複数本であれば、上記の２本又は４本以上とすることも可能である。
【００３７】
また、上記実施形態では、ペダル装置１が有する３本のペダル１０−１，１０−２，１０−３は、いずれもコイルバネ４０−１，４０−２，４０−３のみによって踏込操作に対する反力が付与されるように構成した場合を示したが、本発明にかかるペダル装置としては、ペダルに反力を付与する部材として、コイルバネに加えて他の部材（例えば、弾性ゴム部材）などを併設していてもよい。その場合は、当該他の部材を複数のペダルのうちいずれかに対してのみ設置してもよい。また、当該他の部材は、ペダルの踏込過程の途中でペダルに対して段階的に反力を付与するように設置してもよい。
【００３８】
また、上記実施形態では、ペダル１０−１，１０−２，１０−３に対して反力を付与するバネ部材として、弾性を有する線材をコイル状に巻き回してなるコイルバネ４０−１，４０−２，４０−３を示したが、本発明にかかるバネ部材は、上記のコイルバネ４０−１，４０−２，４０−３以外にも、板状のバネ部材など他の構成のバネ部材であってもよい。
【符号の説明】
【００３９】
１・・・ペダル装置、１０−１（１０）・・・第１ペダル、１０−２・・・第２ペダル、１０−３・・・第３ペダル、１０ａ・・・上壁、１０ｂ・・・両側壁、１０ｃ・・・下面、１１・・・操作部、１２・・・取付部、１４・・・支点、１５・・・上限ストッパ、１７・・・下限ストッパ、２０・・・フレーム、２５・・・底壁、２８・・・スペーサ部材、４０−１（４０）・・・第１コイルバネ（第１バネ部材）、４０−２・・・第２コイルバネ（第２バネ部材）、４０−３・・・第３コイルバネ（第３バネ部材）
【図１】
0005935860.tif 000002
【図２】
0005935860.tif 000003
【図３】
0005935860.tif 000004
【図４】
0005935860.tif 000005
【図５】
0005935860.tif 000006